(57)【要約】【課題】道糸で誘導されるときの囮鮎の体勢を安定させ、自然な体勢によって野鮎の寄り付き易さを改善することであり、また道糸が引っ張る方向と囮鮎の姿勢を一定にして、安定して思い通りの方向に誘導しやすくすることであり、特に囮鮎をできるだけ水中深くで泳がせて野鮎が追いかける機会を増大させることである。【解決手段】友釣り用囮鮎Ａの鼻部、眼の上縁部または背部における左右体側面を貫通可能な長さの直線状鈎１を設け、この基部に所定長さの一本の中間接続糸２の一端を巻いてその外側に接着剤（樹脂）３を被覆することによって固定し、直線状鈎１の任意位置には別途設けた同じ長さの中間接続糸４に環状部５を形成し、その末端部を１つにまとめて道糸１１に連結可能にするよう撚り糸からなる接続部６を設け、これら２本の中間接続糸２、４を纏めて挟持しかつその挟持位置をスライドさせて変更可能なゴム管製の環状クリップ７を設けた友釣り用囮鮎係止具とする。直線状鈎１に貫通した状態の魚体の一部が直線状鈎１と一体となって遊動しないように固定される。【選択図】図１
2005073559.tif 000002
【特許請求の範囲】
【請求項１】
友釣り用囮鮎の鼻部、眼の上縁部または背部における左右体側面を貫通可能な直線部を有する鈎を設け、この鈎の直線部の一端に道糸接続用の中間接続糸を係止すると共に、別途設けた中間接続糸に環状部を設けてこの環状部で前記直線部の任意位置を係止し、これら複数の中間接続糸が全て同じ接続長さになるよう１本にまとめて道糸との接続部を形成すると共に、この接続部よりも中間接続糸の末端側で複数の中間接続糸をまとめて挟持可能な環状クリップを設けてなる友釣り用囮鮎係止具。
【請求項２】
直線部を有する鈎が、直線状鈎である請求項１に記載の友釣り用囮鮎係止具。
【請求項３】
環状クリップが、複数の中間接続糸を挿通可能なゴム管からなる環状クリップである請求項１または２に記載の友釣り用囮鮎係止具。
【発明の詳細な説明】
【技術分野】
【０００１】
この発明は、鮎の友釣りの際に囮鮎を係止するための仕掛けとして用いる友釣り用囮鮎係止具に関する。
【背景技術】
【０００２】
友釣りは、鮎の習性を利用した掛釣の一手法であり、鮎掛鉤をつけた糸に、生きた鮎を囮として繋いで水中に放し、釣り人が水中に生息する鮎の縄張りに囮鮎を侵入させると、野鮎が縄張りを守ろうとして囮鮎に近づいて、鉤に引っ掛かるので、野鮎を釣ることができるという手法である。
【０００３】
このような友釣りの際に用いる囮鮎係止用の仕掛けとして、例えば図４、５に示すように、先鋭な先端を有する金属線を略３角形状に折り曲げて環状に形成した囮鮎係止具が知られている。
【０００４】
この仕掛けは、ピンの先端を囮鮎Ａの鼻部ａ、眼の上縁部ｂまたは背部ｃなどで魚体側面の一方から他方へ刺し通し、ピンの先端２１を金属線の弾性に抗してフック２２に係止し、三角環状の仕掛を形成している。
【０００５】
そして、この仕掛けは、魚体側部に沿わせた幹糸８に逆鈎９を設けて、これを尻鰭の近くに係止し、さらにその延長上に掛け鈎１０を取り付けて用いる。
【０００６】
また、図６に示す従来の仕掛けは、抜け止め用のストッパを有するＣ次型の背掛け鈎（または背環）２３で背部ｃを係止し、これに幹糸８を取り付け、これに逆鈎９を取り付けると共に、その末端に掛け鈎１０を取り付けている（特許文献１参照）。
【０００７】
【特許文献１】特開２００２−９５３９５号公報（請求項１、段落［００４０］）
【発明の開示】
【発明が解決しようとする課題】
【０００８】
しかし、上記した従来の友釣り用の囮鮎の係止仕掛のうち、図５に示す仕掛けでは、種々の大きさの魚体に対応するように、三角環状の一辺の長さを刺し通した魚体の左右体側面間の幅より長く設計する必要があるので、鼻部ａの仕掛に係止された囮鮎Ａの係止位置がずれ動きやすく（図５では、ずれ動いた状態を示している。）、そのために道糸で誘導されるときの囮鮎が側方に引っ張られて体勢が傾いたり不自然になり、これでは囮鮎が弱りやすく、また釣対象の野鮎が警戒して寄り付き難くなる。
【０００９】
また、図６に示した背環でも道糸が引っ張られる方向と囮鮎の頭の位置が一定にならず、釣竿の動かし方を工夫しても安定して思い通りの方向に誘導し難く、泳ぎ難い囮鮎は水面近くに浮き上がりやすく、水中の深みに生息する野鮎に追いかけられる機会が少なくなり、それだけ芳しい釣果が得られ難いという問題点もある。
【００１０】
そこで、この発明の課題は、上記した問題点を解決して道糸で誘導されるときの囮鮎の体勢を安定させると共に、自然な体勢で活発に泳がせて野鮎の寄り付き易さを改善することであり、また道糸が引っ張る方向と囮鮎の姿勢を安定させ、釣り人の思い通りの方向に誘導しやすくすることであり、また囮鮎をできるだけ水中深くで泳がせて縄張りを張る野鮎が追いかける機会を増大させることである。
【課題を解決するための手段】
【００１１】
上記の課題を解決するために、この発明では、友釣り用囮鮎の鼻部、眼の上縁部または背部における左右体側面を貫通可能な直線部を有する鈎を設け、この鈎の直線部の一端に道糸接続用の中間接続糸を係止すると共に、別途設けた中間接続糸に環状部を設けてこの環状部で前記直線部の任意位置を係止し、これら複数の中間接続糸が全て同じ接続長さになるよう１本にまとめて道糸との接続部を形成すると共に、この接続部よりも中間接続糸の末端側で複数の中間接続糸をまとめて挟持可能な環状クリップを設けてなる友釣り用囮鮎係止具としたのである。
【００１２】
上記したように構成されるこの発明の友釣り用囮鮎係止具は、鈎の直線部を囮鮎の所定部位で貫通して係止し、直線部の一端に係止した中間接続糸と、環状部で前記直線部の魚体に近い位置を係止させるようにした他の中間接続糸とで、鮎の魚体を挟むようにして、環状クリップを魚体に近づけながら中間接続糸をまとめて挟持することにより、鈎と魚体を中間接続糸で緊密に固定することができる。
【００１３】
すなわち、環状クリップと魚体からの距離を短くすると、中間接続糸の環状部が鈎の直線部で魚体に近づくようにスライドして、中間接続糸と鈎で形成される輪が小さくなって、囮鮎の体側面を中間接続糸でしっかりと固定することができ、鮎は鈎の直線部分でずれ動かなくなる。
【００１４】
そのため、道糸で誘導されるときの囮鮎の体勢が安定し、野鮎の寄り付き易さが改善される。また、道糸が引っ張る方向と囮鮎の姿勢が一定になるので、安定して思い通りの方向に誘導しやすくなる。
【００１５】
このような作用を確実に発揮させるためには、友釣り用囮鮎を係止する左右体側面が、鼻部、眼の上縁部または背部における左右体側面である場合に確実な効果が奏される。特に、鮎の眼の上縁部に鈎を固定するには、鈎の直線部または直線状鈎であれば鮎の神経などの重要な組織を傷つけ難いので、活性を弱めてしまう危険性が低くて好ましい。因みに、従来のリング状の鈎ではそのような有利性がなかったので、眼の上縁部で囮鮎を係止することができなかった。
【００１６】
また、直線状の鈎で、囮鮎の眼の上縁部の左右体側面を貫通させると、囮鮎は、体上方に違和感を感じるらしく、従来にみられないほど、高い確率で深い水深で泳ぐようになり、そのために縄張りの野鮎が追いかける機会が増し、釣果が向上する確率が高まる。
【００１７】
この発明に用いる環状クリップとしては、複数の中間接続糸を挿通可能なゴム管からなる環状クリップであることが好ましい。なぜなら、弾性ゴムが糸に摩擦接触する環状クリップは、構造が簡単であると共に、釣り糸からなる中間接続糸に対する挟持力が安定しているので、道糸が比較的強く引っ張られても中間接続糸の係止位置が変わり難いためである。
【発明の効果】
【００１８】
この発明は、以上説明したように、友釣り用囮鮎の所定部分を貫通する直線部を有する鈎を設け、中間接続糸に環状部を設けてこの環状部で前記直線部の任意位置を係止し、複数の中間接続糸をまとめて挟持する環状クリップを設けた友釣り用囮鮎係止具としたので、鈎と囮鮎は、左右体側面が複数の糸でしっかりと係止されてずれ動き難くなる。
【００１９】
そのため、道糸で誘導される囮鮎の姿勢が安定し、野鮎の寄り付き易さが改善され、また道糸が引っ張る方向と囮鮎の姿勢は一定となるため、安定して思い通りに誘導しやすくなる。
【００２０】
また、囮用鮎の眼の上縁部に鈎を固定した場合には、特に囮鮎が水中深く泳ぐようになるので、縄張りを張る野鮎が効率よく掛かって釣果の向上に役立つ利点もある。
【００２１】
また、環状クリップが、ゴム管からなるものでは、構造が簡単であると共に、中間接続糸に対する挟持力が安定し、強く引っ張られても中間接続糸の係止位置が変わり難くなるという利点もある。
【発明を実施するための最良の形態】
【００２２】
この発明の第１実施形態を以下に添付図面に基づいて説明する。
図１、３に説明する実施形態の友釣り用囮鮎係止具は、友釣り用囮鮎Ａの鼻部ａ、眼の上縁部ｂまたは背部ｃにおける左右体側面を貫通可能な長さの直線状鈎１を設け、この基部に所定長さの一本の中間接続糸２の一端を巻いてその外側に接着剤（樹脂）を被覆することによって固定し、直線状鈎１の任意位置には別途設けた同じ長さの中間接続糸４に環状部５を形成し、その末端部を１つにまとめて道糸１１に連結可能にするよう撚り糸からなる接続部６を設け、これら２本の中間接続糸２、４を纏めて挟持しかつその挟持位置をスライドさせて変更可能なゴム管製の環状クリップ７に２本の中間接続糸を挿通して設けた友釣り用囮鮎係止具である。
【００２３】
第１実施形態においては、鈎全体が真っ直ぐの直線状鈎１を図示したが、鼻部ａまたは背部ｃにとりつける鈎であれば、その一部が直線状に形成されているものでもよい。しかし、眼の上縁部ｂに取り付ける鈎としては、鮎の頭蓋骨の目の上部を傷つけ難くするために直線状鈎１を用いることが好ましい。
【００２４】
直線状鈎１または直線部を有する他の周知形態からなる鈎における直線部の長さは、友釣り用囮鮎の左右体側面を貫通可能な長さであればよく、必要以上に長すぎても短すぎても取り扱い難くなって好ましくない。また、先鋭な先端に形成したものは、それを覆う周知構造の金属製キャップ（ネクタイピンなどで利用されている構造）またはゴムまたは樹脂製のカバーを設ければ、釣り人が囮用鮎を安全につかむことができる。
【００２５】
直線状鈎１の基部に係止される中間接続糸２は、前述のように接着固定して設ける他に、直線状鈎１の基部に嵌まるゴム管などで一時的に固定してもよく、また環状部（中間接続糸４に形成した環状部５と同じ形態。）を設けて、位置変えを可能にして設けても良い。
【００２６】
また、中間接続糸４に形成される環状部５は、別途設けた輪状の糸を中間接続糸４の先端または中間の任意位置に接着または結び止めし、その上に接着剤を被覆してもよく、また後述のように中間接続糸の全体を輪状に形成してもよい。
【００２７】
このような構造の友釣り用囮鮎係止具を使用するには、先ず、一本のみの中間接続糸２が直線状鈎１の端部に係止または固定された状態の直線状鈎１とし、これを例えば図３に示すように、友釣り用囮鮎Ａの眼の上縁部ｂで左右体側面を貫通するように刺し通す。
【００２８】
次に、環状部５を直線状鈎１の先端から掛けて魚体側面の近くの中程までスライドさせて通し、さらに２本の中間接続糸２、４を纏めてスライド可能な環状クリップ７を魚体にできるだけ近づける。
【００２９】
このようにすると、直線状鈎１に貫通した状態の魚体の一部が直線状鈎１と一体となって遊動しないように固定され、図３に示すように誘導する際の囮鮎の体勢が安定し、自然な体勢によって野鮎の寄り付き易さを改善することができる。
この実施形態の使用方法は、従来のものと同様であり、仕掛け全体としては、魚体側部に沿わせた幹糸８に逆鈎９を設けてこれを尻鰭の近くに係止し、さらにその延長上に掛け鈎１０を取り付けて用いる。
【００３０】
また、この実施形態では、眼の上縁部に鈎を貫通させているので、囮鮎は、眼の上方に違和感を感じ、誘導時に従来になく水中深く泳ぐようになり、そのため、縄張りの野鮎が追いかける機会が増大し、釣果の向上が期待できる。
【００３１】
また、鈎に係止する中間接続糸の数は、２本以上に増やすこともでき、中間接続糸の一端の鈎に対する係止手法は固定であってもスライド自在（スライド可能）であってもよく、それらのうち少なくとも１本以上の糸の一端には鈎の直線部の長手方向にスライド可能な環状部を設ける。
【００３２】
図２に示す実施形態は、鈎に係止する中間接続糸１、１２のうち、後者の糸が全体に環状を形成するように作った輪の先端を直線状鈎１に位置変え自在に係止すると共に、輪の末端部をまとめて図外の道糸に連結可能になるように撚り糸からなる接続部６に固定し、この中間接続糸１、１２をゴム管製の環状クリップ７に挿通して、挟持位置をスライドさせて変更可能に設けた友釣り用囮鮎係止具である。
この実施形態のものは、第１実施形態のものと比較して中間接続糸１２の輪の形状が大きいことのほかは、全く同様にして使用することができる。
【図面の簡単な説明】
【００３３】
【図１】第１実施形態の正面図
【図２】第２実施形態の正面図
【図３】第１実施形態の使用状態を示す説明図
【図４】従来例を示す正面図
【図５】従来例の使用状態を示す説明図
【図６】従来例の使用状態を示す説明図
【符号の説明】
【００３４】
Ａ  友釣り用囮鮎
ａ  鼻部
ｂ  眼の上縁部
ｃ  背部
１  直線状鈎
２、４、１２  中間接続糸
３  接着剤
５  環状部
６  接続部
７  環状クリップ
８  幹糸
９  逆鈎
１０  掛け鈎
１１  道糸
【図１】
2005073559.tif 000003
【図２】
2005073559.tif 000004
【図３】
2005073559.tif 000005
【図４】
2005073559.tif 000006
【図５】
2005073559.tif 000007
【図６】
2005073559.tif 000008